(57)【特許請求の範囲】
【請求項１】
回線を通して通信データを受信し、回線交換を行って所望の回線に出力する際に、少なくとも前記回線交換を行うための情報を格納するヘッダ変換テーブルにおける前記回線に対応する情報を参照するＡＴＭ交換機の回線切替え用ヘッダ変換回路であって、
前記回線で障害が発生して予備回線に切替える際に前記ヘッダ変換テーブルにおける前記障害が発生した回線に対応する情報を参照して前記所望の回線への交換を行うよう制御する変換手段を有し、
前記変換手段は、前記予備回線の回線番号を前記障害が発生した回線の回線番号に変換して前記ヘッダ変換テーブルを参照することを特徴とする回線切替え用ヘッダ変換回路。
【請求項２】
現用系回線を通して通信データを受信し、回線交換を行って所望の回線に出力する際に、少なくとも前記回線交換を行うための情報を格納するヘッダ変換テーブルにおける前記回線に対応する情報を参照し、前記現用系回線の障害発生時に予め当該現用系回線と１対１に設けられた予備系回線に切替えるＡＴＭ交換機の回線切替え用ヘッダ変換回路であって、
前記現用系回線の障害発生時に前記予備系回線に切替える際に前記ヘッダ変換テーブルにおける前記障害が発生した回線に対応する情報を参照して前記所望の回線への交換を行うよう制御する変換手段を有し、
前記変換手段は、前記予備系回線の回線番号を前記障害が発生した現用系回線の回線番号に変換して前記ヘッダ変換テーブルを参照することを特徴とする回線切替え用ヘッダ変換回路。
【請求項３】
複数の現用系回線のいずれかを通して通信データを受信し、回線交換を行って所望の回線に出力する際に、少なくとも前記回線交換を行うための情報を格納するヘッダ変換テーブルにおける前記回線に対応する情報を参照し、前記複数の現用系回線のいずれかに障害発生時に予め前記複数の現用系回線に対して共通に設けられた予備系回線に当該障害が発生した現用系回線を切替えるＡＴＭ交換機の回線切替え用ヘッダ変換回路であって、
前記複数の現用系回線のいずれかに障害が発生した時に前記予備系回線に切替える際に前記ヘッダ変換テーブルにおける前記障害が発生した現用系回線に対応する情報を参照して前記所望の回線への交換を行うよう制御する変換手段を有し、
前記変換手段は、前記予備系回線の回線番号を前記障害が発生した現用系回線の回線番号に変換して前記ヘッダ変換テーブルを参照することを特徴とする回線切替え用ヘッダ変換回路。
【請求項４】
回線を通して通信データを受信し、回線交換を行って所望の回線に出力する際に、少なくとも前記回線交換を行うための情報を格納するヘッダ変換テーブルにおける前記回線に対応する情報を参照するＡＴＭ交換機のヘッダ変換方法であって、
前記回線で障害が発生して予備回線に切替える際に前記ヘッダ変換テーブルにおける前記障害が発生した回線に対応する情報を参照して前記所望の回線への交換を行うよう制御し、
前記所望の回線への交換を行う際に、前記予備回線の回線番号を前記障害が発生した回線の回線番号に変換して前記ヘッダ変換テーブルを参照することを特徴とするヘッダ変換方法。
【請求項５】
現用系回線を通して通信データを受信し、回線交換を行って所望の回線に出力する際に、少なくとも前記回線交換を行うための情報を格納するヘッダ変換テーブルにおける前記回線に対応する情報を参照し、前記現用系回線の障害発生時に予め当該現用系回線と１対１に設けられた予備系回線に切替えるＡＴＭ交換機のヘッダ変換方法であって、
前記現用系回線の障害発生時に前記予備系回線に切替える際に前記ヘッダ変換テーブルにおける前記障害が発生した回線に対応する情報を参照して前記所望の回線への交換を行うよう制御し、
前記所望の回線への交換を行う際に、前記予備系回線の回線番号を前記障害が発生した現用系回線の回線番号に変換して前記ヘッダ変換テーブルを参照することを特徴とするヘッダ変換方法。
【請求項６】
複数の現用系回線のいずれかを通して通信データを受信し、回線交換を行って所望の回線に出力する際に、少なくとも前記回線交換を行うための情報を格納するヘッダ変換テーブルにおける前記回線に対応する情報を参照し、前記複数の現用系回線のいずれかに障害発生時に予め前記複数の現用系回線に対して共通に設けられた予備系回線に当該障害が発生した現用系回線を切替えるＡＴＭ交換機のヘッダ変換方法であって、
前記複数の現用系回線のいずれかに障害が発生した時に前記予備系回線に切替える際に前記ヘッダ変換テーブルにおける前記障害が発生した現用系回線に対応する情報を参照して前記所望の回線への交換を行うよう制御し、
前記所望の回線への交換を行う際に、前記予備系回線の回線番号を前記障害が発生した現用系回線の回線番号に変換して前記ヘッダ変換テーブルを参照することを特徴とするヘッダ変換方法。
【発明の詳細な説明】
【０００１】
【発明の属する技術分野】
本発明はＡＴＭ交換機の回線切替え用ヘッダ変換回路及びそれに用いるヘッダ変換方法に関し、特にユーザまたは他の交換機等の通信装置から通信データを受信し、回線交換をして所望の回線へ出力するＡＴＭ（ＡｓｙｎｃｈｒｏｎｏｕｓＴｒａｎｓｆｅｒ  Ｍｏｄｅ）交換機の回線切替え用のヘッダ変換回路に関する。
【０００２】
【従来の技術】
従来、ＡＴＭ交換機においては、ユーザまたは他の交換機等の通信装置から通信データを受信し、回線交換をして所望の回線へ出力している。すなわち、ＡＴＭ交換機は上記の動作を行うために、図１０に示すような構成をとっている。
【０００３】
図１０において、ＡＴＭ交換機は回線インタフェース（ＩＦ）部１と、多重回路２と、ヘッダ変換回路７とから構成されている。回線インタフェース部１は回線インタフェース（ＩＦ）１１−１〜１１−ｎから構成され、ヘッダ変換回路７はヘッダ変換部７１と、ヘッダ変換テーブル７２とから構成されている。
【０００４】
回線インタフェース部１は図示せぬ他装置から通信データを受信し、固定長のデータパケット（以下、セルとする）を多重回路２へ送る。多重回路２はそれぞれのセルを順番にヘッダ変換回路７へ送る（以下、この動作を“多重する”と記す）。また、多重回路２はセルと同時に、そのセルを受信した回線の回線番号もヘッダ変換回路７へ送信する。
【０００５】
ヘッダ変換回路７のヘッダ変換部７１は入力したセルの入力回線番号とセル内にあるＶＰＩ／ＶＣＩ［Ｖｉｒｔｕａｌ  Ｐａｔｈ  Ｉｄｅｎｔｉｆｉｅｒ（バーチャルパス識別子）／Ｖｉｒｔｕａｌ  Ｃｈａｎｎｅｌ  Ｉｄｅｎｔｉｆｉｅｒ（バーチャルチャネル識別子）］を識別する。
【０００６】
ヘッダ変換部７１はこの識別したＶＰＩ／ＶＣＩを基にヘッダ変換テーブル７２を参照し、セルを出力するのに必要な情報を得る。この情報には出力回線番号、出力側ＶＰＩ／ＶＣＩ、セルの通信品質を制御するための制御信号等がある。ヘッダ変換部７１はこれらの情報をセルといっしょに図示せぬスイッチ回路に送出する。尚、この技術については、特開平７−７４７４７号公報や特開平１０−７９７４７号公報等に開示されている。
【０００７】
図１１に１＋１重化冗長構成時のヘッダ変換回路７の動作を示す。回線番号＃０の現用系セルが障害発生によって回線番号＃１の予備系セルに切替わった場合、参照されるテーブルメモリは現用系のテーブル７２ａから予備系のテーブル７２ｂに変わる。よって、ヘッダ変換部７１がヘッダ変換テーブル７２から得ることのできる情報が障害発生前後で同じになるためには、テーブル７２ａとテーブル７２ｂとが全く同じでなければならない。
【０００８】
図１２にＮ：１重化冗長構成時のヘッダ変換回路７の動作を示す。回線番号＃０の現用系セルが障害発生によって回線番号＃Ｎ＋１の予備系セルに切替わった場合、参照されるテーブルメモリは現用系のテーブル７２ｃから予備系のテーブル７２ｄに変わる。よって、ヘッダ変換部７１がヘッダ変換テーブル７２から得ることのできる情報が障害発生前後で同じになるためには、テーブル７２ｃとテーブル７２ｄとが全く同じでなければならない。この例では障害が発生した回線は回線番号＃０で説明しているが、障害が回線番号＃１で発生した場合、テーブル７２ｄは回線番号＃１のテーブルと同じでなければならない。
【０００９】
【発明が解決しようとする課題】
上述した従来のＡＴＭ交換機のヘッダ変換回路では、１＋１重化冗長構成の場合、保守者が同じ情報を２つのテーブルに設定する必要があるので、手間がかかること、同じ情報をメモリの２つの領域に用意する必要があるので、経済的でないこと、切替わる前のテーブルと切替わった後のテーブルとが何らかのミスで一致していない場合に系切替えを正常に行うことができなくなること等の問題がある。
【００１０】
また、Ｎ：１重化冗長構成の場合には、切替わった後のテーブルに対して障害発生後に障害が発生した回線番号のテーブル内容をコピーする手段をもたなければならないこと、障害発生後にテーブルのコピーが必要なために系切替えを障害発生後に瞬時に行うことができないこと等の問題がある。
【００１１】
そこで、本発明の目的は上記の問題点を解消し、予備系セルのテーブル設定を不要とすることができ、回路規模やメモリ量を低減することができるとともに、系切替えを高速化することができるＡＴＭ交換機の回線切替え用ヘッダ変換回路及びそれに用いるヘッダ変換方法を提供することにある。
【００１２】
【課題を解決するための手段】
本発明によるＡＴＭ交換機の回線切替え用ヘッダ変換回路は、回線を通して通信データを受信し、回線交換を行って所望の回線に出力する際に、少なくとも前記回線交換を行うための情報を格納するヘッダ変換テーブルにおける前記回線に対応する情報を参照するＡＴＭ交換機の回線切替え用ヘッダ変換回路であって、
前記回線で障害が発生して予備回線に切替える際に前記ヘッダ変換テーブルにおける前記障害が発生した回線に対応する情報を参照して前記所望の回線への交換を行うよう制御する変換手段を備え、
前記変換手段は、前記予備回線の回線番号を前記障害が発生した回線の回線番号に変換して前記ヘッダ変換テーブルを参照している。
【００１３】
本発明による他のＡＴＭ交換機の回線切替え用ヘッダ変換回路は、現用系回線を通して通信データを受信し、回線交換を行って所望の回線に出力する際に、少なくとも前記回線交換を行うための情報を格納するヘッダ変換テーブルにおける前記回線に対応する情報を参照し、前記現用系回線の障害発生時に予め当該現用系回線と１対１に設けられた予備系回線に切替えるＡＴＭ交換機の回線切替え用ヘッダ変換回路であって、
前記現用系回線の障害発生時に前記予備系回線に切替える際に前記ヘッダ変換テーブルにおける前記障害が発生した回線に対応する情報を参照して前記所望の回線への交換を行うよう制御する変換手段を備え、
前記変換手段は、前記予備系回線の回線番号を前記障害が発生した現用系回線の回線番号に変換して前記ヘッダ変換テーブルを参照している。
【００１４】
本発明による別のＡＴＭ交換機の回線切替え用ヘッダ変換回路は、複数の現用系回線のいずれかを通して通信データを受信し、回線交換を行って所望の回線に出力する際に、少なくとも前記回線交換を行うための情報を格納するヘッダ変換テーブルにおける前記回線に対応する情報を参照し、前記複数の現用系回線のいずれかに障害発生時に予め前記複数の現用系回線に対して共通に設けられた予備系回線に当該障害が発生した現用系回線を切替えるＡＴＭ交換機の回線切替え用ヘッダ変換回路であって、
前記複数の現用系回線のいずれかに障害が発生した時に前記予備系回線に切替える際に前記ヘッダ変換テーブルにおける前記障害が発生した現用系回線に対応する情報を参照して前記所望の回線への交換を行うよう制御する変換手段を備え、
前記変換手段は、前記予備系回線の回線番号を前記障害が発生した現用系回線の回線番号に変換して前記ヘッダ変換テーブルを参照している。
【００１５】
本発明によるＡＴＭ交換機のヘッダ変換方法は、回線を通して通信データを受信し、回線交換を行って所望の回線に出力する際に、少なくとも前記回線交換を行うための情報を格納するヘッダ変換テーブルにおける前記回線に対応する情報を参照するＡＴＭ交換機のヘッダ変換方法であって、
前記回線で障害が発生して予備回線に切替える際に前記ヘッダ変換テーブルにおける前記障害が発生した回線に対応する情報を参照して前記所望の回線への交換を行うよう制御し、
前記所望の回線への交換を行う際に、前記予備回線の回線番号を前記障害が発生した回線の回線番号に変換して前記ヘッダ変換テーブルを参照している。
【００１６】
本発明による他のＡＴＭ交換機のヘッダ変換方法は、現用系回線を通して通信データを受信し、回線交換を行って所望の回線に出力する際に、少なくとも前記回線交換を行うための情報を格納するヘッダ変換テーブルにおける前記回線に対応する情報を参照し、前記現用系回線の障害発生時に予め当該現用系回線と１対１に設けられた予備系回線に切替えるＡＴＭ交換機のヘッダ変換方法であって、
前記現用系回線の障害発生時に前記予備系回線に切替える際に前記ヘッダ変換テーブルにおける前記障害が発生した回線に対応する情報を参照して前記所望の回線への交換を行うよう制御し、
前記所望の回線への交換を行う際に、前記予備系回線の回線番号を前記障害が発生した現用系回線の回線番号に変換して前記ヘッダ変換テーブルを参照している。
【００１７】
本発明による別のＡＴＭ交換機のヘッダ変換方法は、複数の現用系回線のいずれかを通して通信データを受信し、回線交換を行って所望の回線に出力する際に、少なくとも前記回線交換を行うための情報を格納するヘッダ変換テーブルにおける前記回線に対応する情報を参照し、前記複数の現用系回線のいずれかに障害発生時に予め前記複数の現用系回線に対して共通に設けられた予備系回線に当該障害が発生した現用系回線を切替えるＡＴＭ交換機のヘッダ変換方法であって、
前記複数の現用系回線のいずれかに障害が発生した時に前記予備系回線に切替える際に前記ヘッダ変換テーブルにおける前記障害が発生した現用系回線に対応する情報を参照して前記所望の回線への交換を行うよう制御し、
前記所望の回線への交換を行う際に、前記予備系回線の回線番号を前記障害が発生した現用系回線の回線番号に変換して前記ヘッダ変換テーブルを参照している。
【００１８】
すなわち、本発明のＡＴＭ交換機の回線切替え用ヘッダ変換回路は、系切替え時に現用系セルのヘッダ変換テーブルで予備系セルのヘッダ変換を行うため、予備系セルのテーブル設定が不要となり、回路規模やメモリ量の低減が可能となり、系切替えを高速化することが可能となる。
【００１９】
より具体的に、本発明のＡＴＭ交換機の回線切替え用ヘッダ変換回路において、現用系回線インタフェース＃０に障害が発生した場合、ヘッダ変換部に回線番号＃０のセルが流れてこなくなり、代わりに予備系セル（回線番号＃Ｎ＋１）が流れてくるので、ヘッダ変換部はこれまでヘッダ変換テーブルの回線番号＃０を参照していたのが、回線番号＃Ｎ＋１を参照しようとする。
【００２０】
回線番号変換部は障害発生時に変換制御信号を受信することによって、回線番号＃Ｎ＋１を回線番号＃０に変換してテーブル参照を行う。これによって、ヘッダ変換部は回線番号＃Ｎ＋１のテーブルを参照しようとしても回線番号＃０のテーブルを参照することになり、その結果、得ることのできるヘッダ変換テーブルの出力が障害発生前後で同じになる。
【００２１】
この出力はセルを所望の回線へ出力するための情報であり、よって予備系回線番号Ｎ＋１のテーブル内容を障害が発生した回線番号＃０のテーブルと同一内容にすることなしに、予備系セルを現用系セルと同じ回線に出力することが可能となる。
【００２２】
【発明の実施の形態】
次に、本発明の実施例について図面を参照して説明する。図１は本発明の一実施例によるＡＴＭ交換機内の構成を示すブロック図である。図１において、本発明の一実施例によるＡＴＭ（Ａｓｙｎｃｈｒｏｎｏｕｓ  Ｔｒａｎｓｆｅｒ  Ｍｏｄｅ）交換機はユーザまたは他の交換機等の通信装置から通信データを受信し、回線交換をして所望の回線へ出力する装置であり、回線インタフェース（ＩＦ）部１と、多重回路２と、ヘッダ変換回路３とを備えている。
【００２３】
回線インタフェース部１は回線インタフェース（ＩＦ）１１−１〜１１−ｎから構成され、ヘッダ変換回路３はヘッダ変換部３１と、回線番号変換部３２と、ヘッダ変換テーブル３３とから構成されている。
【００２４】
回線インタフェース部１は他装置から通信データを受信し、固定長のデータパケット（以下、セルとする）を多重回路２へ送る。多重回路２はそれぞれのセルを順番にヘッダ変換回路３へ送る（以下、この動作を“多重する”と記す）。また、多重回路２はそのセルと同時に、そのセルを受信した回線の回線番号もヘッダ変換回路３へ送信する。
【００２５】
ヘッダ変換回路３のヘッダ変換部３１は入力したセルの入力回線番号とセル内にあるＶＰＩ／ＶＣＩ［Ｖｉｒｔｕａｌ  Ｐａｔｈ  Ｉｄｅｎｔｉｆｉｅｒ（バーチャルパス識別子）／Ｖｉｒｔｕａｌ  Ｃｈａｎｎｅｌ  Ｉｄｅｎｔｉｆｉｅｒ（バーチャルチャネル識別子）］を識別し、その値を回線番号変換部３２及びヘッダ変換テーブル３３に送る。
【００２６】
回線番号変換部３２は入力回線番号を処理し、ヘッダ変換回路３はこの処理された入力回線番号とＶＰＩ／ＶＣＩとを基にヘッダ変換テーブル３３を参照し、セルを出力するのに必要な情報を得る。この情報には出力回線番号、出力側ＶＰＩ／ＶＣＩ、セルの通信品質を制御するための制御信号等がある。ヘッダ変換部３１はこれらの情報をセルといっしょに図示せぬスイッチ回路に送る。
【００２７】
図２は本発明の一実施例によるＡＴＭ交換機の動作を示す図であり、図３は図１のヘッダ変換回路３の動作を示す図である。これら図１〜図３を参照して本発明の一実施例によるＡＴＭ交換機の動作について説明する。尚、本発明の一実施例によるＡＴＭ交換機は冗長構成をとらない場合を示している。
【００２８】
回線インタフェース部１とそれに接続される回線とが冗長構成をとらない場合、通常時、これらの回線インタフェース部１に通信データが流れている。これら回線インタフェース部１を現用系回線インタフェースとし、それに接続される回線を現用系回線とする。
【００２９】
多重回路２は多重制御信号に基づき、現用系セルをヘッダ変換回路３に送る。同時に、多重回路２はそのセルを受信した回線番号をヘッダ変換回路３に通知する。回線番号は回線インタフェース部１の回線インタフェース１１−１〜１１−ｎがそれぞれ固有に持っている番号である。
【００３０】
ヘッダ変換部３１は入力したセルの回線番号、ＶＰＩ／ＶＣＩを認識し、この値でヘッダ変換テーブル３３を参照する。図３には例として回線番号が＃０の時を示している。
【００３１】
本発明の一実施例では冗長構成をとらない場合、回線番号変換部３２が何も処理を行わないため、ヘッダ変換部３１は回線番号＃０のテーブルを参照し、出力する回線番号、出力時のＶＰＩ／ＶＣＩ、出力のための制御情報を得る。ヘッダ変換部３１はこれを基にヘッダ変換をし、セルと一緒にこれらの情報をスイッチ回路に送る。
【００３２】
ヘッダ変換テーブル３３は一般に、回線番号、ＶＰＩ／ＶＣＩをデコーダまたはＣＡＭ（Ｃｏｎｔｅｎｔｓ  Ａｄｄｒｅｓｓａｂｌｅ  Ｍｅｍｏｒｙ）で一旦メモリアドレスに変換し、このアドレスでＲＡＭ（Ｒａｎｄｏｍ  ＡｃｃｅｓｓＭｅｍｏｒｙ）にアクセスすると、出力側データが得られる仕組みになっている。
【００３３】
図４及び図５は本発明の他の実施例によるＡＴＭ交換機の動作を示す図であり、図６は図５のヘッダ変換回路３の動作を示す図である。これら図４〜図６を参照して本発明の他の実施例によるＡＴＭ交換機の動作について説明する。尚、本発明の他の実施例によるＡＴＭ交換機は１＋１重化冗長構成のための回線インタフェース部４を備えた以外は本発明の一実施例と同様の構成となっており、同一構成要素には同一符号を付してある。また、同一構成要素は本発明の一実施例と同様の動作を行うが、ヘッダ変換回路３の回線番号変換部３２は以下のような動作を行う。
【００３４】
本発明の他の実施例によるＡＴＭ交換機は１＋１重化冗長構成をとり、回線インタフェース部４が現用系回線インタフェース４１−１と予備系回線インタフェース４１−２とからなり、それぞれ現用系回線４０１と予備系回線４０２とを終端している。
【００３５】
通常時、現用系回線４０１と予備系回線４０２とには同じ通信データが流れており、現用系回線インタフェース４１−１及び予備系回線インタフェース４１−２はそれぞれセルを多重回路２に送信する。予備系回線インタフェース４１−２が送信するセルは現用系回線４０１や現用系回線インタフェース４１−１に障害があって、現用系セルが流れない時のための予備である。したがって、通常時には多重回路２における多重制御信号によって予備系セルが多重されず、ヘッダ変換回路３に転送されない。この時のヘッダ変換回路３の動作は図３に示す本発明の一実施例と同様である。
【００３６】
図５に示すように、１＋１重化冗長構成で現用系回線４０１または現用系回線インタフェース４１−１に障害が発生した場合、その障害の発生を検出すると、これを起因として多重制御信号が変化し、また変換制御信号が回線番号変換部３２に通知される。多重回路２は多重制御信号によって現用系回線インタフェース４１−１からのセルを多重しないようにすると同時に、予備系回線インタフェース４１−２からのセルを多重してヘッダ変換回路３に送信する。この時のヘッダ変換回路の動作を図６に示す。
【００３７】
ヘッダ変換部３１には現用系セルが流れてこなくなり、代わりに予備系セルが流れてくる。したがって、ヘッダ変換部３１はこれまでヘッダ変換テーブル３３の回線番号＃０を参照していたのが、回線番号＃１を参照しようとする。
【００３８】
回線番号変換部３２は変換制御信号を受信することによって、回線番号＃１を回線番号＃０に変換してテーブル参照を行う。これによって、ヘッダ変換部３１は回線番号＃１のテーブルを参照しようとしても回線番号＃０のテーブルを参照することになり、その結果、得ることのできるヘッダ変換テーブル３３の出力は障害発生前後で同じになる。よって、ヘッダ変換テーブル３３の予備系回線番号のテーブルを設定せずとも、予備系セルを現用系セルと同じように出力側回線に出力することができる。
【００３９】
図７及び図８は本発明の別の実施例によるＡＴＭ交換機の動作を示す図であり、図９は図８のヘッダ変換回路３の動作を示す図である。これら図７〜図９を参照して本発明の別の実施例によるＡＴＭ交換機の動作について説明する。尚、本発明の別の実施例によるＡＴＭ交換機はＮ：１重化冗長構成のための回線インタフェース部５と、現用系と予備系とを切替えるためのスイッチ回路（ＳＷ）６とを備えた以外は本発明の一実施例と同様の構成となっており、同一構成要素には同一符号を付してある。また、同一構成要素は本発明の一実施例と同様の動作を行うが、ヘッダ変換回路３の回線番号変換部３２は以下のような動作を行う。
【００４０】
本発明の別の実施例によるＡＴＭ交換機はＮ：１重化冗長構成をとり、回線インタフェース部５は現用系回線４０１〜４０３，……がＮ本に対してＮ個の現用系回線インタフェース５１−１〜５１−３，……からなる現用系回線インタフェース部５ａを備え、Ｎ個の現用系回線インタフェース５１−１〜５１−３，……に共通の１つの予備系回線インタフェース５１−（Ｎ＋１）を備えている。
【００４１】
本発明の別の実施例によるＡＴＭ交換機は図４に示す本発明の他の実施例によるＡＴＭ交換機と同様に、予備系回線インタフェース５１−（Ｎ＋１）が送信するセルは、現用系回線インタフェース部５ａのいずれかに障害があって、現用系セルが流れない時のための予備である。
【００４２】
したがって、通常時には多重回路２における多重制御信号によって予備系セルが多重されず、ヘッダ変換回路３に転送されない。この時のヘッダ変換回路３の動作は図３に示す本発明の一実施例と同様である。
【００４３】
図８に示すように、Ｎ：１重化冗長構成である１つの現用系回線インタフェース部５ａの現用系回線インタフェース５１−１に障害が発生した場合、図５に示す本発明の他の実施例と同様に、障害の発生を検出すると、これを起因として多重制御信号が変化し、また変換制御信号が回線番号変換部３２に通知される。同時に、切替え信号の通知によって回線番号＃０の現用系回線インタフェース５１−１が受信していた通信データがスイッチ回路６を介して回線番号＃Ｎ＋１の予備系回線インタフェース５１−（Ｎ＋１）が受信する。
【００４４】
多重回路２は多重制御信号によって回線番号＃０のセルを多重しないようにすると同時に、予備系回線インタフェース５１−（Ｎ＋１）からのセルを多重してヘッダ変換回路３に送信する。この時のヘッダ変換回路３の動作を図９に示す。
【００４５】
ヘッダ変換部３１には回線番号＃０のセルが流れてこなくなり、代わりに予備系セル（回線番号＃Ｎ＋１のセル）が流れてくる。したがって、ヘッダ変換部３１はこれまでヘッダ変換テーブル３３の回線番号＃０を参照していたのが、回線番号＃Ｎ＋１を参照しようとする。
【００４６】
回線番号変換部３２は変換制御信号を受信したことによって、回線番号＃Ｎ＋１を回線番号＃０に変換してテーブル参照を行う。これによって、ヘッダ変換部３１は回線番号＃Ｎ＋１のテーブルを参照しようとしても回線番号＃０のテーブルを参照することになり、その結果、得ることのできるヘッダ変換テーブル３３の出力は障害発生前後で同じになる。よって、予備系回線番号Ｎ＋１のテーブルを系切替えの度に設定し直さずとも、予備系セルを現用系セルと同じように出力側回線に出力することができる。
【００４７】
このように、予備系回線のヘッダ変換を現用系回線のヘッダ変換テーブルの参照で代用することによって、予備系回線のテーブル設定が不要となるので、保守者がヘッダ変換テーブル３３を設定する手間を軽減することができる。
【００４８】
また、常に予備系回線としてのみ使用するインタフェースがある場合、この回線番号のテーブルが不要となり、ＶＰＩ／ＶＣＩをメモリアドレスに変換するデコーダ回路の規模、またはＣＡＭのメモリ量を低減することができ、テーブルデータを収めるＲＡＭの容量も低減することができるので、回路規模及びメモリ量を低減することができ、経済的になるという効果が得られる。
【００４９】
さらに、予備系のヘッダ変換のために元の現用系テーブルを参照するので、テーブルから得られる情報が現用系、予備系ともに同一であるので、現用系テーブル設定と予備系テーブル設定との不一致によって系切替えが正常に行えなくなるのを防止することができる。
【００５０】
さらにまた、障害が発生する度に元の運用系ヘッダ変換テーブルを予備系ヘッダ変換テーブルにコピーして行うのではなく、障害が発生した元の運用系ヘッダ変換テーブルを参照することで行うため、Ｎ：１重化冗長構成時に予備系セル用のデータコピーを実現する手段が不要となる。
【００５１】
同様に、障害が発生する度に元の運用系ヘッダ変換テーブルを予備系ヘッダ変換テーブルにコピーして行うのではなく、障害が発生した元の運用系ヘッダ変換テーブルを参照することで行うため、コピー処理を行わない分だけ高速化することができるので、Ｎ：１重化冗長構成時に系切替えを高速化することができる。
【００５２】
尚、上記の説明では回線番号変換部３２をヘッダ変換回路３１内に設けているが、予備系回線インタフェース４１−２，５１−（Ｎ＋１）内または多重回路２内に設けてもよい。また、ヘッダ変換回路３１前段のセルの伝送路上に回線番号変換部３２の機能を持つ回路を設けてもよい。
【００５３】
【発明の効果】
以上説明したように本発明によれば、回線を通して通信データを受信し、回線交換を行って所望の回線に出力する際に、少なくとも回線交換を行うための情報を格納するヘッダ変換テーブルの当該回線に対応する情報を参照するＡＴＭ交換機において、回線で障害が発生して予備回線に切替える際にヘッダ変換テーブルの障害が発生した回線に対応する情報を参照して所望の回線への交換を行うよう制御することによって、予備系セルのテーブル設定を不要とすることができ、回路規模やメモリ量を低減することができるとともに、系切替えを高速化することができるという効果がある。
【図面の簡単な説明】
【図１】本発明の一実施例によるＡＴＭ交換機内の構成を示すブロック図である。
【図２】本発明の一実施例によるＡＴＭ交換機の動作を示す図である。
【図３】図１のヘッダ変換回路の動作を示す図である。
【図４】本発明の他の実施例によるＡＴＭ交換機の動作を示す図である。
【図５】本発明の他の実施例によるＡＴＭ交換機の動作を示す図である。
【図６】図５のヘッダ変換回路の動作を示す図である。
【図７】本発明の別の実施例によるＡＴＭ交換機の動作を示す図である。
【図８】本発明の別の実施例によるＡＴＭ交換機の動作を示す図である。
【図９】図８のヘッダ変換回路の動作を示す図である。
【図１０】従来例によるＡＴＭ交換機内の構成を示すブロック図である。
【図１１】１＋１重化冗長構成時のヘッダ変換回路の動作を示す図である。
【図１２】Ｎ：１重化冗長構成時のヘッダ変換回路の動作を示す図である。
【符号の説明】
１，４，５  回線インタフェース部
２  多重回路
３  ヘッダ変換回路
５ａ  現用系回線インタフェース部
６  スイッチ回路
１１−１〜１１−ｎ，
４１−１，
５１−１〜５１−３  現用系回線インタフェース
３１  ヘッダ変換部
３２  回線番号変換部
３３  ヘッダ変換テーブル
４１−２，
５１−（Ｎ＋１）  予備系回線インタフェース
【図１】
0003589149.tif 000002
【図２】
0003589149.tif 000003
【図３】
0003589149.tif 000004
【図４】
0003589149.tif 000005
【図５】
0003589149.tif 000006
【図６】
0003589149.tif 000007
【図７】
0003589149.tif 000008
【図８】
0003589149.tif 000009
【図９】
0003589149.tif 000010
【図１０】
0003589149.tif 000011
【図１１】
0003589149.tif 000012
【図１２】
0003589149.tif 000013